(57)【要約】可動式のあご部（８）と固定式のあご部（７）とを有する口部（６）に自転車をクランプするデバイスおよび方法であり、高い負荷のポテンシャルのものが、トグル継手（１８）とラチェット機構（１４）との中で利用され得、リリース（１２）は、トリガされ得、素早い運動で口部を開く。実施形態において、マルチサイズの対象物確保用グリップ（９）は、可動式のあご部と固定式のあご部との接触面に位置し得、様々な大きさの対象物の全般的なグリッピングを想定する。
2008526616.tif 000002
【特許請求の範囲】
【請求項１】
自転車支持装置であって、
固定式のあご部と可動式のあご部とを有するクランプすることが可能な口部と、
該固定式のあご部と該可動式のあご部との接触面に取り付けられるマルチサイズの対象物確保用グリップと、
該可動式のあご部に取り付けられるスライド部と、
該スライド部と該可動式のあご部とが応答する低圧力リリースと、
該スライド部と該可動式のあご部とのあご部開放バイアスと、
該可動式のあご部と該スライド部とに応答するラチェット機構と
を備える、自転車支持装置。
【請求項２】
自転車支持装置であって、
固定式のあご部と可動式のあご部とを有するクランプすることが可能な口部と、
該可動式のあご部に取り付けられるスライド部と、
該スライド部と該可動式のあご部とが応答する低圧力リリースと、
該可動式のあご部と該スライド部とに応答するラチェット機構と
を備える、自転車支持装置。
【請求項３】
前記低圧力リリースは、
約５ポンド未満の力と、
約８ポンド未満の力と、
約１０ポンド未満の力と、
約１５ポンド未満の力と、
約２０ポンド未満の力と
から成る群から選択される解放力を含む、請求項１または２に記載の自転車支持装置。
【請求項４】
前記低圧力リリースは、ボタンを備える、請求項１または２に記載の自転車支持装置。
【請求項５】
前記低圧力リリースに応答するトグル継手をさらに備える、請求項１に記載の自転車支持装置。
【請求項６】
前記低圧力リリースに応答するトグル継手をさらに備える、請求項２に記載の自転車支持装置。
【請求項７】
一方向のあご部運動要素をさらに備える、請求項２に記載の自転車支持装置。
【請求項８】
一方向のあご部運動要素をさらに備える、請求項６に記載の自転車支持装置。
【請求項９】
前記ラチェット機構は、親ねじに取外し可能なように係合した爪部を備える、請求項１または２に記載の自転車支持装置。
【請求項１０】
係合した爪部バイアスをさらに備える、請求項９に記載の自転車支持装置。
【請求項１１】
前記係合した爪部バイアスは、バネを備える、請求項１０に記載の自転車支持装置。
【請求項１２】
あご部開放止め具をさらに備える、請求項１または２に記載の自転車支持装置。
【請求項１３】
前記固定式のあご部と前記可動式のあご部は、湾曲した固定式のあご部と湾曲した可動式のあご部とを備える、請求項２に記載の自転車支持装置。
【請求項１４】
前記湾曲した固定式のあご部と前記湾曲した可動式のあご部とは、湾曲した接触面を備える、請求項１３に記載の自転車支持装置。
【請求項１５】
前記あご部のそれぞれの前記湾曲した接触面は、マルチサイズの対象物確保用グリップを備える、請求項１４に記載の自転車支持装置。
【請求項１６】
前記マルチサイズの対象物確保用グリップは、少なくとも１つの凸面グリップを備える、請求項１または１５に記載の自転車支持装置。
【請求項１７】
前記少なくとも１つの凸面グリップは、前記あご部のそれぞれに２つの凸面グリップを備える、請求項１６に記載の自転車支持装置。
【請求項１８】
前記湾曲した接触面は、突出した表面を備える、請求項１４に記載の自転車支持装置。
【請求項１９】
前記湾曲した接触面は、ゴムと、エラストマーと、熱可塑性プラスチックウレタンとから成る群から選択される材料を含む、請求項１４に記載の自転車支持装置。
【請求項２０】
前記親ねじは、前記スライド部に取り付けられる、請求項９に記載の自転車支持装置。
【請求項２１】
あご部力増加要素をさらに備える、請求項１または２に記載の自転車支持装置。
【請求項２２】
前記あご部力増加要素は、ノブと親ねじとを備える、請求項２１に記載の自転車支持装置。
【請求項２３】
前記ノブは、３つのアームのノブを含む、請求項２２に記載の自転車支持装置。
【請求項２４】
前記可動式のあご部と前記スライド部とは、前記ノブと前記親ねじとに応答する、請求項２２に記載の自転車支持装置。
【請求項２５】
前記ラチェット機構は、前記可動式のあご部が所望の閉位置にあるときに、前記口部に加えられる内部的な力を備える、請求項１または２に記載の自転車支持装置。
【請求項２６】
前記内部的な力は、約２０００ポンドまでを含む、請求項２５に記載の自転車支持装置。
【請求項２７】
前記スライド部と前記可動式のあご部とのあご部開放バイアスをさらに備える、請求項２に記載の自転車支持装置。
【請求項２８】
前記あご部開放バイアスは、バネを備える、請求項１または２７に記載の自転車支持装置。
【請求項２９】
基部と軸部とを有するスタンドをさらに備え、前記クランプすることが可能な口部は該スタンドに取り付けられている、請求項１または２に記載の自転車支持装置。
【請求項３０】
前記スタンドに取り付けられる前記クランプすることが可能な口部は、該スタンドのアームに取り付けられるクランプすることが可能な口部を含む、請求項２９に記載の自転車支持装置。
【請求項３１】
前記基部は、三脚を含み、前記軸部は、高さを調整可能な軸部を含む、請求項２９に記載の自転車支持装置。
【請求項３２】
前記高さを調整可能な軸部は、入れ子式の軸部を含む、請求項３１に記載の自転車支持装置。
【請求項３３】
前記クランプすることが可能な口部は、回転可能なクランプすることが可能な口部を含む、請求項１または２に記載の自転車支持装置。
【請求項３４】
前記回転可能なクランプすることが可能な口部は、回転クラッチを備える、請求項３３に記載の自転車支持装置。
【請求項３５】
前記アームは、折りたたみ可能なアームを含む、請求項３０に記載の自転車支持装置。
【請求項３６】
自転車クランプを用いる方法であって、
固定式のあご部と可動式のあご部との間の口部の中に対象物を確実に保持するステップと、
該口部の該可動式のあご部を開くためのリリースをトリガするステップと、
該リリースがトリガされるときにはラチェット機構を離脱するステップと、
該ラチェット機構が離脱されるときには、実質的に同時に、該可動式のあご部を該開位置に開くステップと、
該リリースをトリガするために力を除いた後に、該ラチェット機構を係合するステップと、
該口部の該固定式のあご部と該可動式のあご部とから該対象物を外すステップと
を包含する、方法。
【請求項３７】
自転車クランプを用いる方法であって、
固定式のあご部と可動式のあご部との間の口部の中に対象物を確実に保持するステップと、
該固定式のあご部と可動式のあご部とのマルチサイズの対象物確保用グリップで該対象物を握るステップと、
該口部の該可動式のあご部を開くためのリリースをトリガするステップと、
該リリースをトリガするときには、実質的に同時に、該可動式のあご部を該開位置にスライドするステップと、
該口部の該固定式のあご部と該可動式のあご部とから該対象物を外すステップと
を包含する、方法。
【請求項３８】
前記リリースをトリガする前記ステップは、該リリースを低圧力でトリガするステップを包含する、請求項３６または３７に記載の自転車クランプを用いる方法。
【請求項３９】
前記リリースを低圧力でトリガする前記ステップは、
約５ポンド未満の力と、
約８ポンド未満の力と、
約１０ポンド未満の力と、
約１５ポンド未満の力と、
約２０ポンド未満の力と
から成る群から選択される低圧力を前記リリースに加えるステップを包含する、請求項３８に記載の自転車クランプを用いる方法。
【請求項４０】
前記リリースを低圧力でトリガする前記ステップは、ボタンを押すステップを包含する、請求項３８に記載の自転車クランプを用いる方法。
【請求項４１】
実質的に同時に、前記可動式のあご部を前記開位置にスライドする前記ステップは、
前記リリースに応答するトグル継手を動かすステップと、
前記ラチェット機構の内部的な力を解放するステップと、
ラチェットから爪部を離脱するステップと、
前記可動式のあご部を前記開位置にスライドするステップと
を包含する、請求項３６に記載の自転車クランプを用いる方法。
【請求項４２】
実質的に同時に、前記可動式のあご部を前記開位置にスライドする前記ステップは、
前記リリースに応答するトグル継手を動かすステップと、
前記ラチェット機構の内部的な力を解放するステップと、
ラチェットから爪部を離脱するステップと、
前記可動式のあご部を前記開位置にスライドするステップと
を包含する、請求項３７に記載の自転車クランプを用いる方法。
【請求項４３】
前記ラチェットから爪部を離脱するステップは、親ねじのねじ山から該爪部を離脱するステップを包含する、請求項４１または４２に記載の自転車クランプを用いる方法。
【請求項４４】
前記ラチェット機構の内部的な力を解放するステップをさらに包含する、請求項３６に記載の自転車クランプを用いる方法。
【請求項４５】
前記ラチェット機構を離脱する前記ステップは、前記ラチェットから爪部を離脱するステップを包含する、請求項４４に記載の自転車クランプを用いる方法。
【請求項４６】
前記ラチェットから爪部を離脱する前記ステップは、親ねじから前記爪部を離脱するステップを包含する、請求項４５に記載の自転車クランプを用いる方法。
【請求項４７】
前記開位置において前記あご部開放止め具で前記可動式のあご部を止めるステップをさらに包含する、請求項４１または４２に記載の自転車クランプを用いる方法。
【請求項４８】
前記固定式のあご部と前記可動式のあご部との間で前記対象物を確実に保持する前記ステップは、固定式の湾曲したあご部と可動式の湾曲したあご部との間で前記対象物を確実に保持するステップを包含する、請求項３６または３７に記載の自転車クランプを用いる方法。
【請求項４９】
前記固定式の湾曲したあご部と前記可動式の湾曲したあご部との間で前記対象物を確実に保持する前記ステップは、該固定式の湾曲したあご部と該可動式の湾曲したあご部とのそれぞれの湾曲した接触面の間で前記対象物を確実に保持するステップを包含する、請求項４８に記載の自転車クランプを用いる方法。
【請求項５０】
前記固定式のあご部の上と前記可動式のあご部の上とにマルチサイズの対象物確保用グリップを提供するステップをさらに包含する、請求項３６に記載の自転車クランプを用いる方法。
【請求項５１】
前記マルチサイズの対象物確保用グリップは、少なくとも１つの凸面グリップを備える、請求項３７に記載の自転車クランプを用いる方法。
【請求項５２】
前記マルチサイズの対象物確保用グリップは、少なくとも１つの凸面グリップを備える、請求項５０に記載の自転車クランプを用いる方法。
【請求項５３】
前記少なくとも１つの凸面グリップは、前記あご部のそれぞれに２つの凸面グリップを備える、請求項５１または５２に記載の自転車クランプを用いる方法。
【請求項５４】
前記固定式のあご部と前記可動式のあご部に突出した表面を提供することをさらに包含する、請求項３６または３７に記載の自転車クランプを用いる方法。
【請求項５５】
前記固定式のあご部と前記可動式のあご部とは、ゴムと、エラストマーと、熱可塑性プラスチックウレタンとから成る群から選択される表面を有する、請求項３６または３７に記載の自転車クランプを用いる方法。
【請求項５６】
前記開位置において前記可動式のあご部を有する前記口部に対象物を配置するステップと、
該可動式のあご部に力を加えて前記口部を前記開位置から所望の閉位置に動かすステップと、
前記力が解放された後に、前記所望の閉位置に前記口部の位置を維持するステップと
をさらに包含する、請求項３６に記載の自転車クランプを用いる方法。
【請求項５７】
前記開位置において前記可動式のあご部を有する前記口部に対象物を配置するステップと、
該可動式のあご部に力を加えて前記口部を前記開位置から所望の閉位置に動かすステップと、
前記力が解放された後に、前記所望の閉位置に前記口部の位置を維持するステップと
をさらに包含する、請求項３７に記載の自転車クランプを用いる方法。
【請求項５８】
前記可動式のあご部に力を加える前記ステップは、該可動式のあご部を一方向に動かすステップを包含する、請求項５６または５７に記載の自転車クランプを用いる方法。
【請求項５９】
前記可動式のあご部に力を加える前記ステップは、ラチェット機構を動かすステップを包含する、請求項５６に記載の自転車クランプを用いる方法。
【請求項６０】
前記可動式のあご部に力を加える前記ステップは、ラチェット機構を動かすステップを包含する、請求項５７に記載の自転車クランプを用いる方法。
【請求項６１】
前記ラチェット機構を動かす前記ステップは、前記可動式のあご部に取り付けられるラチェットを動かし、その間に爪部が該ラチェットの上を動くステップを包含する、請求項５９または６０に記載の自転車クランプを用いる方法。
【請求項６２】
前記可動式のあご部に取り付けられるラチェットを動かし、その間に爪部が該ラチェットの上を動く前記ステップは、前記可動式のあご部に取り付けられる親ねじを動かし、その間に前記爪部が該親ねじのねじ山の上を動くステップを包含する、請求項６１に記載の自転車クランプを用いる方法。
【請求項６３】
前記可動式のあご部が前記所望の閉位置にあるときに、前記ラチェット機構の中に内部的な力を形成するステップをさらに包含する、請求項５９または６０に記載の自転車クランプを用いる方法。
【請求項６４】
前記内部的な力は、約２０００ポンドまでを含む、請求項４１または４２に記載の自転車クランプを用いる方法。
【請求項６５】
前記内部的な力は、約２０００ポンドまでを含む、請求項６３に記載の自転車クランプを用いる方法。
【請求項６６】
前記対象物を囲む前記可動式のあご部を引き締めるステップをさらに包含する、請求項３６または３７に記載の自転車クランプを用いる方法。
【請求項６７】
前記対象物を囲む前記可動式のあご部を引き締めるステップをさらに包含する、請求項６２に記載の自転車クランプを用いる方法。
【請求項６８】
前記対象物を囲む前記可動式のあご部を引き締める前記ステップは、該対象物を囲む該あご部の力を増加させるステップを包含する、請求項６６に記載の自転車クランプを用いる方法。
【請求項６９】
前記対象物を囲む前記可動式のあご部を引き締める前記ステップは、ノブと前記親ねじとを用いて前記可動式のあご部を引き締めるステップを包含する、請求項６６に記載の自転車クランプを用いる方法。
【請求項７０】
前記対象物を囲む前記可動式のあご部を引き締める前記ステップは、３つのアームのノブと前記親ねじとを用いて前記可動式のあご部を引き締めるステップを包含する、請求項６６に記載の自転車クランプを用いる方法。
【請求項７１】
閉位置にある前記対象物を確実に保持する間に開位置に向かって前記可動式のあご部を傾かせるステップをさらに包含する、請求項３６または３７に記載の自転車クランプを用いる方法。
【請求項７２】
開位置に向かって前記可動式のあご部を傾かせる前記ステップは、バネを用いて開位置に向かって前記可動式のあご部を傾かせるステップを包含する、請求項７１に記載の自転車クランプを用いる方法。
【請求項７３】
基部と軸部とを有するスタンドを提供し、該スタンドの高さを調整するステップをさらに包含する、請求項３６または３７に記載の自転車クランプを用いる方法。
【請求項７４】
前記スタンドの高さを調整する前記ステップは、該スタンドの該高さを入れ子式に調整するステップを包含する、請求項７３に記載の自転車クランプを用いる方法。
【請求項７５】
前記口部が取り付けられる前記スタンドのアームを回転するステップをさらに包含する、請求項７３に記載の自転車クランプを用いる方法。
【請求項７６】
前記口部が取り付けられる前記スタンドのアームを回転する前記ステップは、前記口部が回転クラッチで取り付けられる前記スタンドのアームを回転するステップを包含する、請求項７５に記載の自転車クランプを用いる方法。
【請求項７７】
前記スタンドの前記軸部に沿って前記アームを折りたたむステップをさらに包含する、請求項７５に記載の自転車クランプを用いる方法。
【発明の詳細な説明】
【技術分野】
【０００１】
本発明は、一般的に様々な対象物をクランピングおよびサポーティングする分野に関し、確実で、さらには素早い取付けおよび取外しのオプションを提供する。とりわけ、本発明は、自転車を支持したり、取外したりするための自転車支持装置と自転車クランプを用いる方法とを提供し、該自転車支持装置において、ユーザーは、保管、輸送、自転車修理などを行い得る。
【背景技術】
【０００２】
自転車修理分野などで用いられるクランピングの分野において、クランプへの対象物の安定し、確実な取付けを可能にするクランピングシステムを利用することが望まれ得る。従来型の自転車修理スタンドは、固定され得、クランピングデバイスを組み込み得る。該クランピングデバイスは、自転車のフレームを握り、自転車の任意の構成要素に対する仕事を容易にするために、自転車を任意の位置に回転させることを可能にし得る。例えばＬｉｔｔｌｅｐａｇｅ他の特許文献１にあるように、クランプの支えは、ライザー部材、クランプ支持部材およびスクリュー作動式のクランプを利用し得る。例えばＳｎｙｄｅｒの特許文献２にあるような、自転車修理のクランプおよびスタンドのためのデバイスが他に公知であり、作業用スタンドは、一対の相対的に移動可能なあご部（ｊａｗ）を含み得、両あご部の間で、管状の部材がクランプされ得る。
【０００３】
従来のクランプは、様々な大きさの自転車の管類などの様々な大きさの対象物の適切な取付けをクランプの中に提供し得なかった。過去における一部のクランプは、あご型のクランプ（ｊａｗ  ｃｌａｍｐ）を提供し、あご部が管類などの対象物を囲むことを可能にしていた。あご型のクランプは異なる大きさの管類に対して調整可能であるが、ユーザーがクランプの取付けを再調整することなしには、管類を適切に保持し、ユーザーが自転車の作業を行ったり自転車を回転させたりすることはできない。
【０００４】
他のクランプは、開閉のためにピボット型の運動を用い得、例えばＪａｒｖｉｓの特許文献３においては、自転車は基部によって支えられ得、端部は半分にたたまれて折り重なり得る。Ａｎｄｅｒｓｏｎ他の特許文献４は、自転車の作業スタンドを記述し、該スタンドは、所望の位置に向けられ得、クランプハンドルチューブおよびクランプ側面プレートを含むクランプ組み立て部品を有し得る。クランプハンドルチューブは、締まった位置および緩んだ位置に側面プレートの旋回運動をもたらす。異なる大きさの管類の確実なクランピングには、時間のかかる再調整が要求され得る。
【０００５】
最後に、他のクランプは、調整可能なナットおよびネジを用い得、クランピングするあご部が引き締められたり緩められたりすることを可能にする。例えば、Ｓｃｈｏｅｎｉｇ他の米国意匠登録第３５６，９０１号においては、ネジが用いられ得、クランプのあご部を閉位置および開位置に動かす。これは、ユーザーに所定量の力の強さを要求し得、クランプの開閉のために一定の時間をも要求し得る。
【特許文献１】米国特許第５，３８５，２８０号明細書
【特許文献２】米国特許第３，９８１，４９１号明細書
【特許文献３】米国特許第５，６０５，３２１号明細書
【特許文献４】米国特許第６，５４７，１１６号明細書
【発明の開示】
【課題を解決するための手段】
【０００６】
従って、本発明は、クランピングデバイスおよび方法に向けられ得、該クランピングデバイスおよび方法は、再調整することなく様々な、異なる大きさおよび／または形状の対象物を確実に保持し得るあご部を有する、クランプすることが可能な口部を提供し、対象物は、素早く取り付けられ得、さらに口部から素早く取り外され得、そのようなデバイスの容易な使用を可能にする。
【０００７】
従って、本発明の目的は、再調整なしに、様々な、異なる大きさおよび／または形状の対象物に対する素早い取付けおよび素早い取外しが行われ得る自転車クランプ装置および方法を提供することである。
【０００８】
本発明の別の目的は、様々な形状および大きさを有する対象物に一般的に用いられ得るクランプのあご部を提供することであり得る。
【０００９】
本発明のさらなる別の目的は、クランプの口部に高圧力が加えられ得、その一方でクランプの中の力を解放するための低圧力トリガを提供する、クランプとクランピングの方法とを提供することである。
【００１０】
当然に、本発明のさらなる目的、目標および実施形態は、明細書の請求項の他の領域において開示される。
【発明を実施するための最良の形態】
【００１１】
本発明は、様々な局面を含み、それらは異なるやり方で組み合わされ得る。以下の記述は、要素を列挙し本発明の一部の実施形態を記述するために提供される。これらの要素は、冒頭の実施形態に列挙されるが、該要素は、任意の手段および任意の数で結合され得、さらなる実施形態を創作することが理解されるべきである。様々に記述された実施例および好ましい実施形態は、明確に記述されたシステム、技術およびアプリケーションのみに本発明が限定されるように解釈されるべきではない。さらに、この記述は、全ての様々な実施形態と、システムと、技術と、方法と、デバイスと、アプリケーションとの記述および請求項をサポートおよび包含することが理解されるべきであり、サポートおよび包括するために、任意の数の開示された要素と、単独の各要素と、全ての要素の任意および全ての様々な置換えおよび組み合わせとで、本出願またはあらゆる後願において用いられる。
【００１２】
本発明は、実施形態において、対象物支持装置および対象物のクランピングの方法を提供する。対象物は、例えば、自転車、シートの支柱のような自転車の部品、フレームなどの部品、スタンド、管状の部材、丸形の対象物、曲線状の対象物、除草機、電動鋸および同様の他の物のような動力機器、オートバイ、オートバイ部品、車椅子、スキー用具、建築用品、車部品など任意の対象物を含むが、それらに限定はされない。本開示における議論は、例として自転車を用いるが、様々な範囲の対象物が、本明細書中に記述される様々な実施形態で用いられ得ることが理解されることを意味する。
【００１３】
口部（６）、例えばクランプすることが可能な口部が、提供され得、固定式のあご部（７）、および、可動式であり得るあご部（８）を、図１に見られるように有し得る。代替的な実施形態において、口部は、少なくとも２つのあご部を有し得、あご部のそれぞれは、可動式などであり得る。口部のあご部は、それらがクランプするように構成され得るように提供され得る。対象物を擦ったり、傷めてしまったりすることなしに、該あご部の部品が調整され得るか、または互いを近づけられるようにして対象物を保持または加圧し得る。実施形態において、スライド部（１１）が、可動式のあご部（８）に取り付けられ得、その結果としてスライド部および可動式のあご部が動き得、口部を開くときには固定式のあご部から離れるようにスライドし、対照的に口部を閉じるときには固定式のあご部に向かってスライドする。スライド部（１１）および可動式のあご部は、口およびあごの非ピボット運動を提供し得、該運動は、非回転式の方法などで動く。実施形態において、スライド部および可動式のあご部は、平面的にまたは固定式のあご部に対して直線的な方式で動き得る。
【００１４】
対象物（１）は、例えば自転車のフレームなどであり、そのような対象物にクイックアタッチメントを用いて支持装置にはめ込まれ得る。口部（６）は、図５および図６に見られるように、開位置にある可動式のあご部（８）を有し得、ユーザーは、開位置であるときに可動式のあご部（８）と固定式のあご部（７）との間の口部に自転車などを配置し得る。開位置は、可動式のあご部を含み得、延長位置においてほとんどの大きさの対象物を固定式のあご部と可動式のあご部との間に適合させることを可能にする。自転車の一部は、固定式のあご部（７）に向かって配置され得、可動式のあご部が、固定式のあご部および自転車のフレームに向かって動き得る。ユーザーは、可動式のあご部に力を加え得、図１および図２に見られるように、可動式のあご部および口部が開位置から所望の閉位置に動く。可動式のあご部に加えられる力は、直接的な力であり得、または間接的な力でもあり得る。所望の閉位置は、自転車のフレームなどの対象物に可能な限りきつく可動式のあご部を配置することを含み得る。実施形態において、対象物（１）は、口部に対して確実に固定され得、その結果として、該対象物は口部の中で動き得ない。
【００１５】
可動式のあご部から力が除かれたり緩められ得たりすると、口部（および可動式のあご部）の位置を所望の閉位置に維持することが重要であり得、それによって対象物がクランプされた状態であり続け得る。実施形態において、本発明は、一方向に可動式のあご部を動かすことを提供し得、一方向のあご部運動要素およびあご部位置ホルダーをも提供し得る。一方向のあご部運動要素は、可動式のあご部を一方向に動かすことを可能にし得、反対方向のような別の方向に動くことを防ぐ。例えば、力が可動式のあご部に加えられ得るときには、図７に示されるように、ラチェット機構（１４）が用いられ得、動かされ得る。力が可動式のあご部に加えられ得るにつれて、可動式のあご部およびスライド部は、その結果としてラチェット（２３）に力を加え得る。ラチェットは、ねじ山を有する親ねじおよび歯を有するラチェット爪車などの歯付きのバーであり得るが、それらに限定はされない。親ねじなどのラチェットは押され得、親ねじのねじ山（２０）は、爪部（２２）が共に沿って動き得る歯の役目をし得る。爪部は、ラチェットの歯と係合するように適合され得、例えば親ねじのねじ山などと係合し、反対方向に動くことを防ぐ。
【００１６】
図７が示すように、例えば爪部は、少なくとも１つの切欠きを有し得、ねじ山（２０）がそれに適合し得る。従って、可動式のあご部が押され得ると、可動式のあご部に取り付けられ得る親ねじが、動かされ得、爪部が親ねじのねじ山の上を一方向に動くことを可能にして、親ねじおよび可動式のあご部が反対方向に動くことを防ぐ。実施形態において、ワンステップ運動が、クランプへの様々な大きさおよび形状の対象物の取り付けを提供し得る。クランプが対象物に固定されると、再び調整される必要はあり得ない。
【００１７】
可動式のあご部、スライド部および親ねじさえもが、互いに取り付けられ得、または互いと反応し合い、それらのうちの１つの運動は他の部分の運動を引き起こし得る。勿論、代替的な実施形態において、他の一方向のあご部の運動の要素が用いられ得る。例えば、一方向のあご部の運動は、テント支柱を入れ子式にはめ込んだり、拳銃をコーキングしたり、パイプクランプを木工事するときなどに用いられるような傾斜のついたリングまたはプレートの使用を含み得るが、勿論それらに限定はされない。
【００１８】
従って、一部の独立した局面は、
自転車支持装置であって、あご部と一方向のあご部運動要素を有するクランプすることが可能な口部を備える、自転車支持装置とを含み得る。
【００１９】
自転車クランプを用いる方法は、少なくとも２つのあご部を有するクランプすることが可能な口部に対象物を配置するステップと、該あご部のうちの少なくとも１つを閉位置に向かって一方向に動かすステップと、該口部の該あご部の中に該対象物を確実に保持するステップとを含む。
【００２０】
実施形態において、可動式のあご部が所望の閉位置に配置された後でも、対象物は、固定式のあご部と可動式のあご部との間でなんらかの運動能力を有し得る。本発明は、可動式のあご部が閉位置に配置された後に、自転車の部品を囲む可動式のあご部の引締めを提供し得る。この引締めは、自転車を囲むあご部の力を増加させ得、図１〜図４に見られるように、あご部力増加要素（２５）などが用いられ、口部が自転車を確実に保持する。例えば、ノブおよび前述の親ねじと同一のもののような親ねじが、自転車の部品を囲む可動式のあご部をクランプするために用いられ得る。ノブは、回転され得、その結果として親ねじも回転され得、該親ねじが爪部と係合され、可動式のあご部は自転車に対して引き締められる。勿論、任意の種類の引締め機構が用いられ得、様々なノブについても然りである。例えば、ノブは、アーム無しであり得、１つのアーム、２つのアーム、３つのアーム、４つのアームなどを有し得、ユーザーがノブを握り回転させることを補助する。
【００２１】
ラチェット機構、さらにはトグル継手の使用は、所望のリリース時間まで閉位置における口部のあご部を保持することを補助し得る。可動式のあご部は、所望の閉位置まで押され得、親ねじも前述のように動かされ得る。可動式のあご部および親ねじが動くにつれ、内部的な力が、ラチェット機構の中、さらにはトグル継手（１８）の中に起き得る。実施形態において、大きな力が爪部および親ねじのねじ山に加えられ得る。内部的な力は任意の大きさの力を含み得るが、一部の例は、約２０００ポンドまで、またはさらに大きな力を含み得る。勿論、そのような力は、無制限であり得、機構は、意図される使用目的に依存し、１０，０００ポンドか、またはそれ以上を保持するように適合され得る。あるいは、軽い対象物が口部の中に保持され得る場合には、内部的な力は、約４０ポンドまで、約１００ポンドまで、約５００ポンドまでなどを含み得る。内部的な力は、デバイスの設計およびクランプされる対象物の種類によって変わり得る。従って、これらの実施例は、本発明を限定するものとして解釈されるものではない。
【００２２】
本発明は、実施形態においてスライド部および可動式のあご部のあご部開放バイアス（１３）を提供し得る。口部およびあご部が閉位置において自転車を確実に保持し得る間に、可動式のあご部は、開位置に向かってバイアスされ得る。例えば、あご部開放バイアスは、バネなどを含み得る。
【００２３】
自転車または他の対象物は、クイックリリースなどを用いて閉位置から外され得る。実施形態において、本発明は、図１〜図７に見られるように、低圧力リリースなどのリリース（１２）を提供し得る。ユーザーは、リリース（１２）をトリガし得、口部の可動式のあご部を開く。トリガすることは、任意の動きまたはイベントを含み得、さらには励振として役に立ち得、および／または口部から対象物を取り外すための反作用または一連の反作用を起こし得る。実施形態においてリリースは、トリガされ得たり、プレスされ得たり、押され得たり、スライドされ得たりするなどのボタン、ノブ、ラッチ、ハンドル、レバーなどのデバイスを含み得、ラッチを外して、その結果として口部の中の自転車の保持を解除する。
【００２４】
リリースがトリガされるときには、実質的に同時に、可動式のあご部の開位置へのスライディングなどが起こり得る。口部は、主としてリリースをトリガすることと同時に開き得る。開位置へあご部を開くことは、リリースをトリガして数秒内、または１秒未満で起こり得る。実施形態において、スライド部および可動式のあご部は、低圧力リリースのようなリリースに反応し得、開位置に動き得る。口部が開位置にあり得るときには、自転車などの対象物は、口部の固定式のあご部および可動式のあご部から分離され、外され得る。
【００２５】
可動式のあご部の実質的に同時の運動は、トグル継手の中、およびラチェット機構の中の部品の運動または離脱さえも含み得る。これらは、互いに応答し合って作用し得る。通常、実施形態において、例えばボタンに力が加えられることによってリリースがトリガされるときには、トグル継手は、リリース運動に応答して動き得、該リリース運動は、トグル継手に蓄積した内部的な力を解放させ得る。これは、今度は直接的または恐らくは間接的にラチェットから爪部を離脱させ得、スライド部および可動式のあご部が開位置に動き得る。
【００２６】
図１および図２に示されるように、トグル継手（１８）は、２つのピボット要素（２６）を含み得、トグルピン（２７）によって互いと取り付けられる。トグル継手の端部、例えばピボット要素の端部は、ピン（３７）によって枢軸において固定され得る。トグル継手の別の端部、例えば第２のピボット要素の端部は、ピン（３８）によって直線的に先導され得、該ピンは、ガイドスロット（３９）の中を移動し得、爪部（２２）をトグル継手に固定し得る。トグルピン（２７）は、カムパス（ｃａｍ  ｐａｔｈ）（２９）に沿って動き得、カムパスは、図３および図４に見られるようにカムスライダ（３６）の一部であり得る。図１および図２は、閉位置のあご部を示し、トグル継手は、カムパスによって平面的または直線的な位置に保持された２つのピボット要素を有する。ラチェット機構は、取外し可能なように係合した爪部を提供し得、該爪部は、親ねじのねじ山と係合され得る。図１３および図１４のように、リリースが押し下げられ得るときには、リリースピボットレバー（３１）が旋回するように動き得、カムスライダ（３６）を動かし得る。この動きは、トグル継手の負荷を解放させ、２つのピボット要素が逆向きに、または部分的に逆向きの「ｖ」の字の配列で動き得、同時にトグルピンがカムパス（２９）に沿って動き得る。トグル継手の解放は、図１３および図１４に示されるように、爪部が動くことを可能にし得、可動式のあご部が部分的に開位置に動くことを可能にし得る。爪部が動き続け、かつトグル継手のピボット要素が動き続けると、爪部は、図３および図４に示すように、爪部離脱ピン（３２）によって親ねじから押し離され得る。爪部が親ねじのねじ山から完全に離脱され得るときには、スライド部および可動式の口部は、開位置までバネで開かれ、図５および図６のようにあご部が完全に開かれ得る。可動式のあご部が口部から離脱されないことを確実にするために、本発明は、あご部開放止め具を提供し得、該止め具は、可動式のあご部を開位置で止める。親ねじの端部に取り付けられ得る止め具ナット（１９）は、スラストサドル（２１）をヒットして可動式のあご部を開位置にて止める。他の実施形態において、ゴム製のバンパまたは同類のエネルギーを吸収するようなデバイスが含まれ得る。
【００２７】
あご部が完全に開き得た後に、および場合によっては、リリースをトリガするために加えられる力が除かれるときには、ラチェット機構は係合し得る。カムスライダバイアス（４０）は、カムスライダを動かし得、該カムスライダは、トグルピボット要素（２６）を平面的な位置、または直線的な位置にさえも動かし得る。トグルピボット要素（２６）は、爪部を親ねじのねじ山のようなラチェットと接触するような位置に動かし得る。係合した爪部バイアス（１７）は、爪部がラチェットと再び係合するために役立ち得る。係合した爪部バイアス（１７）は、爪部に取り付けられ得、カムスライダバイアス（４０）は、カムスライダまたはラチェット機構の他の部分に取り付けられ得る。係合した爪部バイアスおよびカムスライダバイアスは、バネを含み得、該バネは爪部がラチェットと再び係合するのに役立ち得る。係合した爪部バイアスおよび／またはカムスライダは、トグル継手、および場合によっては２つのピボット要素をも、平面的な位置に位置づけ得る。
【００２８】
実施形態において、本発明は、低圧力リリースのようなリリースの低圧力トリガリングを提供し得る。対象物が口部の中の固定された位置に保持され得るときに、口部のあご部は、前述のように、大きな力を対象物に加え得、保持を維持する。この力は、ラチェット機構（１４）を介して加えられ得る。爪部は、本明細書中に記述のように大きな力を用いるなどして、親ねじのねじ山と強く係合し得、離脱が望まれるときに爪部を親ねじから外すのは困難であり得る。従って、実施形態において、離脱が起こり得るときには、小さな力がボタンなどに加えられ得、ラチェット機構の中に蓄積した大きな力を驚くほどに解放し得、実施形態において、爪部がラチェットから離脱することを可能にし得る。解放の力、または低圧力さえもがリリースに加えられ得、低圧力リリースのようなリリースに応答してトグル継手を用いて口部を開く。トグル継手は、低圧力の解放が、最終的にはどのように大きな負荷の解放に影響し得るかということのほんの一例であり得る。リリースをトリガするために用いられ得る多くの力があるが、一部の実施例が含み得るのは、
約５ポンド未満、
約８ポンド未満、
約１０ポン未満、
約１５ポンド未満、
約２０ポンド未満、などである。
【００２９】
本発明は、実施形態において湾曲した固定式のあご部（７）および湾曲した可動式のあご部（８）を提供し得、自転車などの対象物が確実に保持され得る。それぞれのあご部は、湾曲した接触面を含み得る。グリッピングを高めるために、本発明は、実施形態においてそれぞれのあご部にマルチサイズの対象物確保用グリップ（９）を提供し得る。マルチサイズの対象物確保用グリップは、チューブなどの対象物と接触し得るグリップによって提供され得、図８および図９に見られるようにチューブの周りで約９０度の角度によって分離する部分に提供され得る。マルチサイズの対象物確保用グリップ（９）の実施例は、あご部に取り付けられた少なくとも１つの凸面グリップを含み得る。凸面グリップは、あご部の接触面から突き出した隆起部であり得る。実施形態において、２つの凸面グリップが、各あご部に位置し得る。凸面状に湾曲したグリップ面は、幅広い範囲の大きさの対象物の確実なグリッピングを可能にし得、より小さく、自転車のシート支柱のような通常はクランプされるような対象物に対してもグリッピングの確実性が提供され得、図９に示されるようなより大きな対象物（３５）に対するグリッピングの確実性を大きく損なうことなく提供され得る。図８および図９に見られるように、小さな対象物（３４）は、各あご部に対する少なくとも２つの接触点を含む、あご部のそれぞれの接触面と係合し得る。大きな対象物（３５）もまた、各あご部に対する少なくとも２つの接触点を含む、あご部のそれぞれの接触面と係合し得る。比較すると、あご部と対象物との間の接触は、類似しており、その結果として各対象物の把持は類似し得る。
【００３０】
あるいは、グリップ面が平面的な表面であり、最善の９０度の接触点を有して小さなサイズおよび大きなサイズの対象物を全般的に握るように設計され得る場合には、設計は、より大きなグリップ面およびあご部をもたらし得る。この設計は、より小さなチューブに用いられるときには、固定式のあご部と可動式のあご部とを互いの先端部でインターフェースさせ得、口部の閉鎖を適切に可能にし得ない。実施形態において、全般的に異なる大きさの対象物を保持し得る口部およびあご部の設計を行うときには、マルチサイズの対象物確保用グリップを提供することが望ましくあり得る。
【００３１】
従って、一部の独立した局面は、
自転車支持装置であって、あご部とマルチサイズの対象物確保用グリップとを有するクランプすることが可能な口部を備える、自転車支持装置を含み得る。
【００３２】
自転車クランプを用いる方法は、口部のあご部の間に対象物を確実に保持するステップと、該あご部の中にマルチサイズの対象物を握るステップとを含む。
【００３３】
固定式のあご部と場合によっては可動式のあご部とは、表面を有し得、該表面は、ゴム、エラストマー、熱可塑性プラスチックウレタンなどで作られた接触面などを含むがそれらに限定はされない。該表面はさらに、対象物を掴み得、対象物に引っかき傷をつけたり損傷させたりすることを防ぎ得る。代替的な実施形態において、固定式のあご部および可動式のあご部は、追加のグリッピングのために接触面上などに突出した表面を有し得る。突出した表面は、テクスチャー（ｔｅｘｔｕｒｅ）を有する平滑ではない表面であり得る。テクスチャーは、隆起した突起物および横方向または縦方向の隆起した線などを含み得る。あるいは、他の実施形態において、各あご部の接触面は平滑であり得る。
【００３４】
本明細書中の様々な実施形態に記述された口部は、様々なやり方で用いられ得る。スタンド、ベンチ、壁、任意の種類の表面、車またはその他の種類の車両などに取り付けられ得るが、それらに限定はされない。スタンド（２）が用いられ得、基部（３）および軸部
（４）を含み得る。クランプすることが可能な口部（６）は、図１２に示されるように、スタンドのアーム（５）に取り付けられ得る。実施形態において、スタンドは三脚を含み得、スタンドの高さを調整するために、高さを調整可能な軸部を提供し得る。高さを調整可能な軸部は、入れ子式の軸部を含み得、軸部の一部は軸部の第２の部分に受け取られ得、入れ子式にスタンドの高さを調整する。
【００３５】
他の実施形態において、口部が自転車の修理に用いられる場合は、図１０に見られるように、口部（６）が取り付けられ得るアーム（５）の回転などによって回転可能な口部を提供することが望ましくあり得る。アーム（５）は、回転軸に沿って回転し得、さらに回転クラッチ（２８）を用いて回転し得、その結果として、アームが回転し得、所望の回転位置に保持され得る。さらに他の実施形態および図１１の図示において、本発明は、支持装置の収納能力などを提供し得、さらに折りたたみ可能なアームを提供し得、その結果として、アーム（５）に取り付けられた口部（６）は、スタンド（２）の軸部に沿って折りたたまれ得る。
【００３６】
前述から容易に理解され得るように、本発明の基本的な概念は、様々なやり方で具現化され得る。クランピングの技術と適切なクランプを達成するためのデバイスとの両方が必要である。この出願において、クランピングの技術は、記述された様々なデバイスによって達成されるために示された結果の一部として、および利用のために固有であるステップとして開示される。これらは単に、意図され記述されるようにデバイスを利用することの自然な結果である。さらに、一部のデバイスが開示されるが、これらは特定の方法を達成するのみならず、様々なやり方に変更され得るということが理解されるべきである。重要なことは、前述の全てに関して、これらの局面の全ては、本開示によって包括されることが理解されるべきである。
【００３７】
本開示において含まれる議論は、基礎的な記述として役に立つことが意図されている。読み手は、特定の議論が、明示的に全ての可能な実施形態を記述し得ず、多くの代替案が潜在的に含まれるということを承知するべきである。本開示はまた、本発明の包括的な本質を完全に説明し得ず、どのように各特徴または要素が、より広い機能、あるいは多種多様な代替的または同等の要素を実際に典型的に表すかということを明示的に示し得ない。加えて、これらは本出願に潜在的に含まれている。本発明がデバイスに関連する用語で記述される場合は、デバイスの各要素が機能を暗に実行する。記述されたデバイスに対する装置の請求項のみが含まれるだけでなく、方法またはプロセスの請求項もまた、本発明および各要素が実行する機能を指すように含まれ得る。記述または用語のいずれも、本出願またはあらゆる後願に含まれる請求項の範囲を限定する意図は無い。
【００３８】
様々な変更が、本発明の本質から逸脱することなくなされ得ることもまた理解されるべきである。そのような変更はまた、記述に暗に含まれる。そのような変更は、それでもなお本発明の範囲の中にある。示される明確な実施形態および多種多様な潜在的に含まれる代替的な実施形態、ならびに広範囲に及ぶ方法またはプロセスなどの両方を包含する広範囲に及ぶ開示は、本開示によって包含され、任意の後願のための請求項を立案するときに依存され得る。そのような言葉の変更およびさらに広範囲に及ぶか、またはより詳細な特許請求（ｃｌａｉｍｉｎｇ）が、後日に達成され得ることが理解されるべきである。この理解を基に読み手が承知すべきことは、本開示は、出願人の権利内であると判断されるほどの請求項の基礎の幅広い審査請求を求め得、かつ単独および総合的なシステムとしての両方で本発明の多くの局面に渡る特許を生み出すように作られ得る、本請求項および任意に提出される後願を支持することが理解されることである。
【００３９】
さらに、本発明および請求項の様々な要素のそれぞれはまた、様々な手段で達成され得る。加えて、用いられるか、または暗示されるときには、要素は、物理的に接続され得ても得なくても包含される個別のおよび複数の構造として理解されるべきである。本開示は、そのような各変化を包含することを理解されるべきであり、任意の装置の実施形態の変化、方法の実施形態の変化またはプロセスの実施形態の変化、またはこれらの任意の要素の変化だけであることが理解されるべきである。特に、本開示が本発明の要素に関するときに、各要素に対する用語は、機能または結果のみが同一だったとしても、同等の装置の用語または同等の方法の用語によって表現され得ることが理解されるべきである。そのような、同一でありより広範囲に及ぶ、またはより一般的な用語は、各要素または各行為の記述に包含されると考慮されるべきである。そのような用語は、本発明が権利を有する潜在的に広範囲に及ぶ適用範囲を明確にするように望まれる箇所で代用され得る。一例を除いて、全ての行為が、その行為を行うための手段として、またはその行為をもたらす要素として表現され得ることが理解されるべきである。同様に、開示される各物理的な要素は、その物理的な要素が促進する行為の開示を包含することが理解されるべきである。この最後の解釈に関して、一例を除いて、明示的に議論されていようともそうでなかろうとも、「解放」の開示は、「解放すること」という行為の開示を包含することが理解されるべきであり、逆に、「解放すること」という行為の開示が効力のあるようになされたとしたら、そのような開示は、「解放」および「解放するための手段」の開示を包含することが理解されるべきである。そのような変更および代替的な用語は、記述中に明確に含まれることが理解されるべきである。
【００４０】
本特許出願中に言及されたあらゆる特許、刊行物または他の引用は、参考として本明細書中に援用される。さらに、用いられる各用語に関して、本出願中の使用がその解釈と矛盾しない限り、一般の辞書の定義が、各用語に対して援用され、Ｒａｎｄｏｍ  Ｈｏｕｓｅ  Ｗｅｂｓｔｅｒ’ｓ  Ｕｎａｂｒｉｄｇｅｄ  Ｄｉｃｔｉｏｎａｒｙ、第二版などに収められているような全ての定義、代替的な用語、および同義語が本出願に参考として援用されることが理解されるべきである。最後に、下記のリストに列挙される全ての引用または本出願とともに提出される他の情報の記述は、本出願に付加され、本出願において参考として援用される。しかし、上述のそれぞれに関して、参考として援用されるそのような情報または記述は、この発明／これらの発明の特許取得と矛盾すると考えられるような、そのような記述は、出願人によってなされたとは明白に考慮されるべきではない。
【００４１】
【表１】
2008526616.tif 000003
従って、出願人は、請求項に対するサポートを有し、少なくとも以下の事柄に対して発明の記載をすることが理解されるべきである。ｉ）本出願において開示および記述された自転車クランプデバイスのそれぞれ、ｉｉ）開示および記述された関連する方法、ｉｉｉ）これらのデバイスおよび方法のそれぞれの同類の変化、同等の変化および潜在的な変化、ｉｖ）開示および記述され示される機能のそれぞれを達成するそれらの代替的な設計、ｖ）開示および記述されるそれぞれの機能を達成するために潜在的にあるように示される、それぞれの機能を達成するそれらの代替的な設計および方法、ｖｉ）別個および独立した発明として示されるそれぞれの特性、構成要素およびステップ、ｖｉｉ）開示された様々なシステムまたは構成要素によってより良くなったアプリケーション、ｖｉｉｉ）そのようなシステムまたは構成要素によって生成される結果的な製品、ｉｘ）言及されるあらゆる特定の分野またはデバイスに現在適用される、図示または記述されるそれぞれのシステム、方法または要素、ｘ）実質的に、上文に記述され、任意の付随する実施例を参照する方法および装置、ｘｉ）開示された要素のそれぞれの様々な組み合わせおよび並べ替え、およびｘｉｉ）提示された独立特許項または概念の各々および全てに依存する潜在的な従属した特許範囲または概念のそれぞれ、である。
【００４２】
審査のために現在または後程に提示される特許範囲に関連して、実務的な理由のために、および審査の負担の多大な拡大を防ぐために、出願人は、いつでも、冒頭の特許範囲のみ、または冒頭の特許範囲のみに冒頭の従属項のみを付随させて提示し得ることが理解されるべきである。サポートは、新規事項に関する法律の下で要求される程度まで存在することが理解されるべきであり、該法律は、欧州特許条約１２３条（２）および米国特許法３５Ｕ．Ｓ．Ｃ．§１３２または他のそのような法律を含むが、それらだけに限定されず、１つの独立請求項または概念の下に提示される任意の様々な従属項または他の要素を、任意の他の独立請求項または概念の下の従属項または要素として加えることを可能にする。本出願であろうと任意の後願であろうと、いかなるときにおける任意の請求項の立案において、出願人はまた、法律的に可能な限りの充分で広範囲に及ぶ適用範囲を捕らえることを意図することが理解されるべきである。実質的でない代替物が作られるという限りにおいて、出願人は任意の特定の実施形態を字義どおりに包含するように任意の請求項を実際に立案したのではないという限りにおいて、および、その他に当てはまる限りにおいて、出願人が、そのような適用範囲を放棄することを何らかの形で意図した、または実際に放棄したと理解されるべきではなく、出願人は、単に全ての結末を予期することができ得なかったというだけであり、当業者は、そのような代替的な実施形態を字義通りに包含し得た請求項を立案したものと、当然の如く考えられるべきではない。従って、「自転車」という言葉は、「対象物」という言葉または他に任意の特定の対象物によって置き換えられ得、本出願の補正における請求項において、または望まれる場合には後願の請求項において提示され得ることが理解される。
【００４３】
さらに、従来の請求項の解釈に従って、移行句の使用がある場合には、「備える（ｃｏｍｐｒｉｓｉｎｇ）」は、本出願中の「オープンエンド」型の請求項を維持するように用いられる。従って、文脈上断りがない限り、「備える（ｃｏｍｐｒｉｓｅ）」という用語、または「含む（ｃｏｍｐｒｉｓｅｓ）」または「包含する（ｃｏｍｐｒｉｓｉｎｇ）」のようなバリエーションは、記載の要素、ステップ、要素またはステップの群の包含を含意することが意図されるが、他の任意の要素、ステップ、要素またはステップの群の除外を含意するものではないことが理解されるべきである。そのような用語は、それらの最も拡張的な形式として解釈されるべきであり、その結果として、出願人に、法的に許される最も広範囲に及ぶ適用範囲を提供する。
【００４４】
最後に、いつにおいても述べられた任意の請求項は、本発明のこの記述の一部として、本出願に参考として援用され、出願人は、そのような請求項のそのような援用された内容の全てまたは一部を、請求項の一部または全て、あるいはその任意の要素または構成要素をサポートするための追加の記述として用いる権利を明確に留保し、出願人はさらに、そのような請求項、あるいはその要素または構成要素の援用された内容の任意の一部または全てを記述から請求項に、またはその反対に、動かす権利を明確に留保し、本出願によって、またはその任意の継続出願、分割出願または一部継続出願によって保護が求められる事柄を必要に応じて定義するか、または任意の国または条約の特許法、規則または規制に順ずる、または従うあらゆる利益および手数料の削減を取得し、参考として援用されたそのような内容は、その任意の継続出願、分割出願または一部継続出願または任意の再発行またはそれについての延長を含む本出願の全係属の間に残存する。
【図面の簡単な説明】
【００４５】
【図１】図１は、本発明の実施形態に従った、閉位置の口部、ラチェット機構およびトグル継手の側面図である。
【図２】図２は、本発明の実施形態に従った、閉位置の口部、ラチェット機構およびトグル継手の、図１と比較して反対側の側面図である。
【図３】図３は、本発明の実施形態に従った、爪部がラチェットと離脱し、あご部が開き続けるリリースの第２段階にある、口部、ラチェット機構およびトグル継手の側面図である。
【図４】図４は、本発明の実施形態に従った、爪部がラチェットと離脱し、あご部が開き続けるリリースの第２段階にある、口部、ラチェット機構およびトグル継手の図３と比較して反対側の側面図である。
【図５】図５は、本発明の実施形態に従った、開位置の口部、ラチェット機構およびトグル継手の側面図である。
【図６】図６は、本発明の実施形態に従った、開位置の口部、ラチェット機構およびトグル継手の図５と比較して反対側の側面図である。
【図７】図７は、本発明の実施形態に従った、爪部がラチェットと係合し得るときのトグル継手の分解図である。
【図８】図８は、本発明の実施形態に従った、固定式のあご部と可動式のあご部との間に小さな対象物を有する口部の分解図である。
【図９】図９は、本発明の実施形態に従った、固定式のあご部と可動式のあご部との間に大きな対象物を有する口部の分解図である。
【図１０】図１０は、本発明の代替的な実施形態に従った、回転クラッチを中心に回転する移動可能な口部を表す。
【図１１】図１１は、本発明の代替的な実施形態に従った、軸部と基部とを有するスタンドに対して折りたたまれたアームを備える閉じたスタンドの平面図である。
【図１２】図１２は、本発明の代替的な実施形態に従った、軸部と三脚とを有するスタンドに取り付けられた口部と延長されたアームとの平面図である。
【図１３】図１３は、本発明の実施形態に従った、リリースがトリガされ、爪部およびラチェット上の負荷が解放され、あご部が部分的に開いている、リリースの第１段階にある、口部、ラチェット機構およびトグル継手の側面図である。
【図１４】図１４は、本発明の実施形態に従った、リリースがトリガされ、爪部およびラチェット上の負荷が解放され、あご部が部分的に開いている、リリースの第１段階にある、口部、ラチェット機構およびトグル継手の図１３と比較して反対側の側面図である。
【図１】
2008526616.tif 000004
【図２】
2008526616.tif 000005
【図３】
2008526616.tif 000006
【図４】
2008526616.tif 000007
【図５】
2008526616.tif 000008
【図６】
2008526616.tif 000009
【図７】
2008526616.tif 000010
【図８】
2008526616.tif 000011
【図９】
2008526616.tif 000012
【図１０】
2008526616.tif 000013
【図１１】
2008526616.tif 000014
【図１２】
2008526616.tif 000015
【図１３】
2008526616.tif 000016
【図１４】
2008526616.tif 000017
【国際調査報告】
2008526616.tif 000018
2008526616.tif 000019